(57)【要約】【課題】送信原稿毎に、送信者の希望する画像、及び関連情報を付加することができる画像付き書類作成機能付きファクシミリシステムを提供する。【解決手段】操作者が携帯端末機１００により撮影した画像をファクシミリ装置２００に転送して登録しておき、原稿をファクシミリ送信する際に送信原稿の所定領域に、操作者が選択した画像を合成して送信する。受信側では合成後の原稿が記録出力されるので、送信者を特定する顔写真などの固有の情報を送信先に送信することができ、受信者に送信者を明確に認識させることができる。【選択図】        図１
2004349825.tif 000002
【特許請求の範囲】
【請求項１】
携帯端末機により撮影された画像をファクシミリ装置に転送して蓄積し、原稿をファクシミリ送信する際に該原稿の所定位置に画像を貼り付けた原稿を作成して送信する画像付き書類作成機能付きファクシミリシステムであって、
前記ファクシミリ装置は、前記携帯端末機により転送された画像を蓄積する画像蓄積手段と、
前記画像蓄積手段に蓄積した画像の管理情報を登録して管理する管理手段と、
を有し、
前記管理手段は、画像を登録した登録者を識別するための登録者ＩＤと、前記画像を識別するための画像ＩＤと、前記画像に付加される付加メッセージとを登録して管理するとを特徴とする画像付き書類作成機能付きファクシミリシステム。
【請求項２】
前記管理手段は、
送信先毎に、該送信先のファクシミリ番号と、該送信先に送信する画像の画像ＩＤとを登録し、
前記ファクシミリ装置は、送信先のファクシミリ番号が入力されると、前記管理手段を検索して該指定された送信先に送信する画像ＩＤを取り出し、前記画像蓄積手段から該当する画像を取り出し、原稿の所定位置に取り出した画像を貼り付けた原稿を作成して送信することを特徴とする請求項１記載の画像付き書類作成機能付きファクシミリシステム。
【請求項３】
前記管理手段は、登録した画像を原稿に貼り付ける貼付位置情報と、貼り付ける画像のサイズと、貼り付ける原稿ページの指定とを関連情報として前記画像ＩＤと共に記憶し、
前記ファクシミリ装置は、送信先のファクシミリ番号が入力されると、前記管理手段を検索して該指定された送信先に送信する画像の画像ＩＤと、前記関連情報とを取り出し、前記画像蓄積手段から該当する画像を取り出して前記関連情報に指定された画像サイズに加工し、前記関連情報により指定された原稿の位置に画像を貼り付けてファクシミリ送信することを特徴とする請求項１または２記載の画像付き書類作成機能付きファクシミリシステム。
【請求項４】
前記ファクシミリ装置は、
前記送信先に送信する画像として登録された画像以外の送信要求が入力された際に、登録者の登録者ＩＤを検索キーとして前記管理手段を検索し、該登録者ＩＤで登録された画像ＩＤを検出し、操作表示手段に画像ＩＤ、または画像蓄積手段に蓄積した画像を表示し、指定された画像を原稿に合成して送信することを特徴とする請求項２記載の画像付き書類作成機能付きファクシミリシステム。
【請求項５】
携帯端末機により撮影された画像をファクシミリ装置に転送して蓄積し、原稿をファクシミリ送信する際に該原稿の所定位置に画像を貼り付けた原稿を作成して送信する画像付き書類送信方法であって、
前記ファクシミリ装置において、前記携帯端末機により転送された画像を画像蓄積手段に蓄積する画像蓄積工程と、
前記画像蓄積手段に蓄積した画像の管理情報を管理手段に登録して管理する管理工程とを有し、
前記管理工程は、画像を登録した登録者を識別するための登録者ＩＤと、前記画像を識別するための画像ＩＤと、前記画像に付加される付加メッセージとを登録して管理するとを特徴とする画像付き書類送信方法。
【請求項６】
前記管理工程は、
送信先毎に、該送信先のファクシミリ番号と、該送信先に送信する画像の画像ＩＤとを前記管理手段に登録して管理し、
送信先のファクシミリ番号が入力されると、前記管理手段を検索して該指定された送信先に送信する画像ＩＤを取り出し、前記画像蓄積手段から該当する画像を取り出し、原稿の所定位置に取り出した画像を貼り付けた原稿を作成して送信する第１の送信工程を有することを特徴とする請求項５記載の画像付き書類送信方法。
【請求項７】
前記管理工程は、
登録した画像を原稿に貼り付ける貼付位置情報と、貼り付ける画像のサイズと、貼り付ける原稿ページの指定とを関連情報として前記画像ＩＤと共に前記管理手段に記憶し、
前記第１の送信工程は、送信先のファクシミリ番号が入力されると、前記管理手段を検索して該指定された送信先に送信する画像の画像ＩＤと、前記関連情報とを取り出し、前記画像蓄積手段から該当する画像を取り出して前記関連情報に指定された画像サイズに加工し、前記関連情報により指定された原稿の位置に画像を貼り付けてファクシミリ送信することを特徴とする請求項５または６記載の画像付き書類送信方法。
【請求項８】
前記ファクシミリ装置は、
前記送信先に送信する画像として登録された画像以外の送信要求が入力された際に、登録者の登録者ＩＤを検索キーとして前記管理手段を検索し、該登録者ＩＤで登録された画像ＩＤを検出し、操作表示手段に画像ＩＤ、または画像蓄積手段に蓄積した画像を表示し、指定された画像を原稿に合成して送信する第２の送信工程を有することを特徴とする請求項６記載の画像付き書類送信方法。
【発明の詳細な説明】
【０００１】
【発明の属する技術分野】
本発明は、例えば送信者の顔画像など送付内容に適合する画像を蓄積しておき、送信の際に原稿に貼り付けて送信する画像付き書類作成機能付きファクシミリシステム、画像付き書類送信方法に関する。
【０００２】
【従来の技術】
従来、ファクシミリ装置は、原稿の画像情報を入力部で読み取り、この画像情報を情報信号として通信先に送信する一方、通信先からの情報信号を受信しこの情報信号を出力部で原稿の画像情報として記録紙にプリントアウト出力することにより、原稿の画像情報をファクシミリ通信できるようになっている。
【０００３】
従って、例えば身近な被写体をカメラや携帯電話に付加されたカメラで撮影し、撮影した画像を送りたいというような場合、一度、この画像をプリントアウトして送信用の原稿を作成し、これをスキャナで読み込んで送信しなければならず、煩わしい作業となってしまう。
【０００４】
また、このようなカメラからの画像と他の原稿の画像との混在画像を送りたい場合にも、双方の原稿を貼り合わせることにより送信原稿を完成させなければならず、さらに煩わしい作業となる。
【０００５】
ファクシミリ送信を行なう際に、予めファクシミリ装置に登録された画像を原稿に合成して送信する技術に関して開示された発明が以下に示す特許文献１〜５に示されている。
【０００６】
【特許文献１】
特開平２−２５２３５８号公報
【特許文献２】
特開平３−１９０３７０号公報
【特許文献３】
特開平４−２４７７６４号公報
【特許文献４】
特開平４−２９９６６０号公報
【特許文献５】
特開平６−１０５１１１号公報
【０００７】
【発明が解決しようとする課題】
しかしながら、上述した特許文献１〜５に開示された発明には、登録した画像と、この画像に付加される付加メッセージを含む関連情報との管理方法について具体的な開示がない。また、送信する原稿毎に貼り付ける画像は同一であっても、貼り付け位置や、貼り付けるサイズ等を変える場合、画像に付加するメッセージを変える場合について何ら考慮されていない。
【０００８】
本発明は上記事情に鑑みてなされたものであり、送信原稿毎に、送信者の希望する画像、及び関連情報を付加することができる画像付き書類作成機能付きファクシミリシステム、画像付き書類送信方法を提供することを目的とする。
【０００９】
【課題を解決するための手段】
係る目的を達成するために請求項１記載の発明は、携帯端末機により撮影された画像をファクシミリ装置に転送して蓄積し、原稿をファクシミリ送信する際に該原稿の所定位置に画像を貼り付けた原稿を作成して送信する画像付き書類作成機能付きファクシミリシステムであって、ファクシミリ装置は、携帯端末機により転送された画像を蓄積する画像蓄積手段と、画像蓄積手段に蓄積した画像の管理情報を登録して管理する管理手段と、を有し、管理手段は、画像を登録した登録者を識別するための登録者ＩＤと、画像を識別するための画像ＩＤと、画像に付加される付加メッセージとを登録して管理するとを特徴とする。
【００１０】
請求項２記載の発明は、請求項１記載の発明において、管理手段は、送信先毎に、該送信先のファクシミリ番号と、該送信先に送信する画像の画像ＩＤとを登録し、ファクシミリ装置は、送信先のファクシミリ番号が入力されると、管理手段を検索して該指定された送信先に送信する画像ＩＤを取り出し、画像蓄積手段から該当する画像を取り出し、原稿の所定位置に取り出した画像を貼り付けた原稿を作成して送信することを特徴とする。
【００１１】
請求項３記載の発明は、請求項１または２記載の発明において、管理手段は、登録した画像を原稿に貼り付ける貼付位置情報と、貼り付ける画像のサイズと、貼り付ける原稿ページの指定とを関連情報として画像ＩＤと共に記憶し、ファクシミリ装置は、送信先のファクシミリ番号が入力されると、管理手段を検索して該指定された送信先に送信する画像の画像ＩＤと、関連情報とを取り出し、画像蓄積手段から該当する画像を取り出して関連情報に指定された画像サイズに加工し、関連情報により指定された原稿の位置に画像を貼り付けてファクシミリ送信することを特徴とする。
【００１２】
請求項４記載の発明は、請求項２記載の発明において、ファクシミリ装置は、送信先に送信する画像として登録された画像以外の送信要求が入力された際に、登録者の登録者ＩＤを検索キーとして管理手段を検索し、該登録者ＩＤで登録された画像ＩＤを検出し、操作表示手段に画像ＩＤ、または画像蓄積手段に蓄積した画像を表示し、指定された画像を原稿に合成して送信することを特徴とする。
【００１３】
請求項５記載の発明は、携帯端末機により撮影された画像をファクシミリ装置に転送して蓄積し、原稿をファクシミリ送信する際に該原稿の所定位置に画像を貼り付けた原稿を作成して送信する画像付き書類送信方法であって、ファクシミリ装置において、携帯端末機により転送された画像を画像蓄積手段に蓄積する画像蓄積工程と、画像蓄積手段に蓄積した画像の管理情報を管理手段に登録して管理する管理工程とを有し、管理工程は、画像を登録した登録者を識別するための登録者ＩＤと、画像を識別するための画像ＩＤと、画像に付加される付加メッセージとを登録して管理するとを特徴とする。
【００１４】
請求項６記載の発明は、請求項５記載の発明において、管理工程は、送信先毎に、該送信先のファクシミリ番号と、該送信先に送信する画像の画像ＩＤとを管理手段に登録して管理し、送信先のファクシミリ番号が入力されると、管理手段を検索して該指定された送信先に送信する画像ＩＤを取り出し、画像蓄積手段から該当する画像を取り出し、原稿の所定位置に取り出した画像を貼り付けた原稿を作成して送信する第１の送信工程を有することを特徴とする。
【００１５】
請求項７記載の発明は、請求項５または６記載の発明において、管理工程は、登録した画像を原稿に貼り付ける貼付位置情報と、貼り付ける画像のサイズと、貼り付ける原稿ページの指定とを関連情報として画像ＩＤと共に管理手段に記憶し、第１の送信工程は、送信先のファクシミリ番号が入力されると、管理手段を検索して該指定された送信先に送信する画像の画像ＩＤと、関連情報とを取り出し、画像蓄積手段から該当する画像を取り出して関連情報に指定された画像サイズに加工し、関連情報により指定された原稿の位置に画像を貼り付けてファクシミリ送信することを特徴とする。
【００１６】
請求項８記載の発明は、請求項６記載の発明において、ファクシミリ装置は、送信先に送信する画像として登録された画像以外の送信要求が入力された際に、登録者の登録者ＩＤを検索キーとして管理手段を検索し、該登録者ＩＤで登録された画像ＩＤを検出し、操作表示手段に画像ＩＤ、または画像蓄積手段に蓄積した画像を表示し、指定された画像を原稿に合成して送信する第２の送信工程を有することを特徴とする。
【００１７】
【発明の実施の形態】
次に、添付図面を参照しながら本発明の画像付き書類作成機能付きファクシミリシステム、画像付き書類送信方法に係る実施の形態を詳細に説明する。図１〜図８を参照すると本発明の画像付き書類作成機能付きファクシミリシステム、画像付き書類送信方法に係る実施の形態が示されている。
【００１８】
図１に示されるように本実施形態は、ファクシミリ原稿への画像貼付システムとして貼り付けすべき画像を撮影する撮影手段を有する携帯端末機１００と、この携帯端末機１００により撮影された画像を受信して蓄積するファクシミリ装置２００とから構成される。携帯端末機１００としては、画像を撮影する機能を有する携帯電話やデジタルカメラなどが挙げられる。
【００１９】
携帯端末機１００には、ファクシミリ装置２００との通信用のインターフェースが設けられており、撮影手段を介して撮影した、または蓄積している画像をファクシミリ装置２００に送信する。本実施形態では、携帯端末機１００とファクシミリ装置２００とを有線で接続して画像を送信するＵＳＢ（Ｕｎｉｖｅｒｓａｌ  Ｓｅｒｉａｌ  Ｂｕｓ）を適用しているが、ブルートゥース（Ｂｌｕｅｔｏｏｔｈ）、ＨｏｍｅＲＦ（Ｈｏｍｅ  Ｒａｄｉｏ  Ｆｒｅｑｕｅｎｃｙ）などの無線通信シスムテを用いて撮影した画像をファクシミリ装置２００に送信するものであってもよい。
【００２０】
ここで、図２を参照しながら本実施形態のファクシミリ装置２００の構成を説明する。
図２に示されるように本実施形態のファクシミリ装置２００は、ＣＰＵ２１１、ＲＯＭ２１２、ＲＡＭ２１３、スキャナ２１４、操作表示部２１５、プロッタ２１６、画像管理部２１７、網制御装置２１８、モデム２１９、画像蓄積部２２０、符号化復号化部２２１、画像合成メモリ２２２、画像変換部２２３等の各機能部がシステムバスに接続されており、これらの要素間でのデータのやり取りは主としてこのシステムバスを介して行なわれる。
【００２１】
図２において、ＣＰＵ（中央処理装置）２１１は、このファクシミリ装置の各部の制御処理、およびファクシミリ伝送制御手順処理を行なうものであり、ＲＯＭ（リード・オンリ・メモリ）２１２は、ＣＰＵ２１１が処理する制御処理プログラム、処理プログラムや、このプログラムを実行する時に必要な各種データが記録されている。また、ＲＡＭ（ランダム・アクセス・メモリ）２１３は、ＣＰＵ２１１のワークエリアとして使用される。
【００２２】
スキャナ２１４は、所定の解像度で原稿画像を読み取るためのものであり、プロッタ２１６は所定の解像度で画像を記録出力するためのものであり、操作表示部２１５は、このファクシミリ装置を操作するためのもので、各種の操作キー、および表示器からなる。
【００２３】
符号化復号化部２２１は、画像信号を符号化圧縮すると共に、符号化圧縮されている画像情報を元の画像信号に復号化するためのものである。
【００２４】
画像蓄積部２２０は、携帯端末機１００により撮影された画像、およびスキャナ２１４により読み取った原稿画像を蓄積するためのものである。
【００２５】
網制御装置（ＮＣＵ）２１８は、回線の接続を制御し、モデム部２１９は、送受信データの変復調を行なう。
【００２６】
画像変換部２２３は、画像蓄積部２２０に蓄積された画像を読み出し、設定されたサイズの画像となるように画像を加工する。
【００２７】
画像合成メモリ２２２は、スキャナ２１４により読み込んだ原稿情報と、画像変換部２２３で変換した画像とを合成する。
【００２８】
また、画像管理部２１７には、図３に示された管理テーブルが設けられ、各画像に設定された管理情報を管理している。
この管理テーブルは、図３に示されるように画像を登録した登録者を識別する登録者ＩＤ毎に、登録された画像を識別する画像ＩＤと、画像を貼り付ける貼り付け位置を設定する貼付位置設定情報と、貼り付ける画像のサイズを規定した貼付サイズ設定情報と、画像を貼り付ける原稿のページを指定する貼り付けページ指定情報と、画像毎に貼り付ける付加メッセージとが登録されている。
【００２９】
なお、貼り付け位置を設定する際には、図４に示されるように操作表示部２１５の表示画面に原稿と、原稿での貼り付け位置を表示し、操作者がこの貼り付け位置、及び貼り付けサイズを自由に変更できるようにするとよい。このようにして指定された画像の貼り付け位置を図３に示された貼付位置設定情報として、貼り付ける画像のサイズを貼付サイズ設定情報として保持する。
【００３０】
また、原稿に貼り付ける画像は、図５（Ａ）に示されるように原稿の先頭ページにだけ貼り付けるもの、図５（Ｂ）に示されるようにページを指定して貼り付けるもの、複数の送信先に同一原稿を送信する場合に図５（Ｃ）に示されるように送信先に応じて送信する画像を変更するものであってもよい。
【００３１】
以上の構成で、操作者が送信原稿をセットすると、ＣＰＵ２１１は以下に示す処理を実行する。
まず、ＣＰＵ２１１は、操作表示部２１５の表示画面に、画像を付加するか否かを問い合わせるガイダンスメッセージを表示する。画像付加が指示されると、付加する画像を指定する画像ＩＤ番号の入力を要求する旨のガイダンスメッセージが表示される。これと共にＣＰＵ２１１は、その他の送信時に必要な各種の操作を操作者に行なわせる。
【００３２】
操作者が送信操作を終了し、送信開始の指示を入力すると、指定された宛先に発呼する。この時、操作者により、画像付加が指示されているか否を調べて、指示されている場合には指定された画像ＩＤ番号の画像データを画像蓄積部２２０を参照して読み出し、読み出した画像データを画像変換部２２３に転送して所定サイズの原稿に変換する。
【００３３】
そして、宛先と所定の伝送前手順を実行し、伝送機能を交渉し、伝送機能の設定が終了すると、スキャナを作動させて１ページ分の送信原稿の画像を読み取り、読み取って得た画像データの所定領域に、画像変換部２２３で変換した画像を合成し、合成後の画像データを符号化復号化部２２１で符号化圧縮し、これによって得た画像情報を送信する。
【００３４】
１ページ分の画像情報の送信が終了すると、次ページのデータがあるか否かを調べ、次ページがある場合には次ページについても同様の処理を行なって、このページの画像情報を送信する。また、次ページが存在しない場合には、伝送終了手順を実行して回線を復旧し、一連の画像送信動作を終了する。
【００３５】
また、送信操作で、画像付加が指示されない場合には、宛先と所定の伝送前手順を実行し、伝送機能を交渉し、伝送機能の設定が終了すると、スキャナ２１４を作動して１ページ分の送信原稿の画像を読み取り、得た画像信号を符号化復号化部２２１で符号化圧縮し、送信する。
【００３６】
次に、フローチャートを参照しながら本実施形態の動作手順を説明する。
まず、図６に示されたフローチャートを参照しながら携帯端末機１００により撮像した画像をファクシミリ装置２００に送信して登録する手順を説明する。
携帯端末機１００は、画像を撮影すると、撮影した画像のファクシミリ装置２００への登録要求を送信する。携帯端末機１００とファクシミリ装置２００とはＵＳＢなどの有線回線で接続されていてもよいし、ブルーツゥースのような無線回線を使用して画像を送信するものでもよい。
【００３７】
携帯端末機１００からの登録要求を受け付けたファクシミリ装置２００は、携帯端末機１００から制御情報と共に画像を受信し、受信した画像を画像蓄積部２２０に蓄積する（ステップＳ２）。なお、制御情報には、画像の登録要求者を識別する登録者ＩＤと、画像毎に付加される画像ＩＤとが含まれる。なお、画像に付加される画像ＩＤは、本実施形態のように携帯端末機１００側で予め設定してファクシミリ装置２００に画像と共に送信するものであってもよいし、画像をファクシミリ装置２００に送信した後に、ファクシミリ装置２００の操作表示部２１５から画像ＩＤを入力して登録するものであってもよい。
【００３８】
制御情報と画像を受信したファクシミリ装置２００は、まず制御情報から受信した画像は新規登録する画像であるのか、または同一ＩＤで登録された画像と変更するものであるのかを判断する。受信した画像が新規登録の画像であった場合（ステップＳ３／ＹＥＳ）、操作表示部２１５に、未設定の画像がある旨を表示し、設定の入力を受け付ける（ステップＳ４）。この時、未設定の画像がどの画像であるのかを操作者により認識できるようにするために画像を受信した時刻、または画像そのものを操作表示部２１５に表示するようにしてもよい。
【００３９】
未設定の画像に対して、操作者による設定入力要求があると、操作表示部２１５に図４に示された設定画面を表示させ、画像を貼り付ける位置の設定、貼り付ける画像のサイズ、画像を貼り付けるページの指定、画像と共に貼り付けるメッセージ等を操作者に入力させる（ステップＳ５）。
【００４０】
設定情報が入力されると、入力した設定情報を画像管理部２１７に登録し、画像蓄積部２２０に蓄積した画像との対応付けを行なう。
【００４１】
また、受信した画像が新規登録ではなく、登録している画像の更新であった場合には、受信した画像に付加された画像ＩＤと同一の画像ＩＤで画像蓄積部２２０に登録された画像を、受信した画像と入れ替える（ステップＳ７）。
【００４２】
次に、設定情報の変更があるか否かを確認する。設定情報に変更がない場合には（ステップＳ８／ＮＯ）、このままこの処理を終了する。また、設定情報に変更がある場合には（ステップＳ８／ＹＥＳ）、操作表示部２１５に図４に示された設定画面を表示させ、画像を貼り付ける位置の設定、貼り付ける画像のサイズ、画像を貼り付けるページの指定、画像と共に貼り付けるメッセージ等を操作者に入力させる（ステップＳ９）。これらの設定情報の入力が終了すると、画像管理部２１７に同一画像ＩＤに対して登録された設定情報を変更する（ステップＳ１０）。
【００４３】
次に、図７、８に示されたフローチャートを参照しながら蓄積した画像を原稿に合成してファクシミリ送信する手順について説明する。
ファクシミリ装置２００は、原稿の送信要求を受信すると（ステップＳ１１／ＹＥＳ）、操作表示部２１５に送信先指定、画像添付要求等の送信条件の入力を要求するガイダンスを表示させる（ステップＳ１２）。操作者により入力された送信条件が、送信先が複数で、画像の添付要求のあるものであった場合（ステップＳ１３／ＹＥＳ）の処理については、図８に示されたフローチャートを参照しながら後述する。また、画像の添付要求がない要求の場合には（ステップＳ１４／ＮＯ）、原稿をスキャナ２１４で読み取り、指定された相手先に送信する（ステップＳ１５）。
【００４４】
また、送信先が一つで、画像の添付要求のあるものであった場合には（ステップＳ１４／ＹＥＳ）、画像蓄積部２２０に登録した画像を操作表示部２１５に表示し操作者からの画像選択入力を受け付ける（ステップＳ１６）。なお、ここで表示する画像は、登録者ＩＤの入力を要求し、この登録者ＩＤで登録された画像だけを表示するものであってもよいし、登録したすべての画像を表示するものであってもよい。
【００４５】
操作者による選択が入力されると（ステップＳ１７／ＹＥＳ）、選択された画像を画像蓄積部２２０から読み出し、画像変換部２２３に転送する（ステップＳ１８）。その後、操作表示部２１５に「選択された画像に設定された設定条件で合成処理を行いますか」といったメッセージを表示し、原稿に貼り付ける画像の設定を確認する（ステップＳ２０）。予め画像毎に設定された設定条件での送信を行なわないとの入力がなされた場合には（ステップＳ２０／ＮＯ）、操作表示部２１５に図４に示された設定画面を表示させ、画像を貼り付ける位置の設定、貼り付ける画像のサイズ、画像を貼り付けるページの指定、画像と共に貼り付けるメッセージ等を操作者に入力させる（ステップＳ２１）。
【００４６】
次に、操作者により入力された設定を、選択された画像に対する新たな設定として登録するか否かを確認するメッセージを操作表示部２１５に表示する（ステップＳ２２）。操作者からの入力が設定条件を変更するであった場合には（ステップＳ２３／ＹＥＳ）、画像管理部２１７に登録した当該画像の設定条件を操作者が入力したものに変更する（ステップＳ２４）。設定条件を変更しないとの入力があった場合（ステップＳ２３／ＮＯ）、または設定変更後、操作者により入力された設定条件に従って画像変換部２２３で画像を変換する。また、スキャナ２１４により原稿を取り込み、取り込んだ原稿と変換後の画像との合成処理を画像合成メモリ２２２で行なう（ステップＳ２５）。画像合成メモリ２２２において画像を合成された原稿は、符号化復号化部２２１において符号化され指定された相手先に送信される（ステップＳ２６）。上述した処理を原稿の送信要求がなくなるまで繰り返す。
【００４７】
次に、図８に示されたフローチャートを参照しながら複数の送信先に異なる画像を合成して送信する場合の手順を説明する。
図７に示されたフローチャートのステップＳ１３において、送信先として複数の宛先が入力され、また、画像の添付要求があった場合（ステップＳ１３／ＹＥＳ）、操作表示部２１５に送信先毎に貼り付ける画像を変更するか否かを問い合わせるメッセージを表示する（ステップＳ３０）。同一の画像を貼り付けた原稿を複数の送信先へ送信する場合には（ステップＳ３０／ＮＯ）、上述した図７のステップＳ１６以下の手順を実行する。
【００４８】
操作者により、送信先毎に異なる画像を同一原稿に貼り付けて送信するとの入力がなされると（ステップＳ３０／ＹＥＳ）、送信先の電話番号を入力するように要求、または予め登録された送信先電話番号を表示し送信先を選択入力するように操作者に要求する（ステップＳ３１）。
【００４９】
送信先の電話番号が複数入力、または選択されると、入力された送信先に送信する画像として登録された画像があるか否かを確認する（ステップＳ３２）。登録された画像がある場合には（ステップＳ３２／ＹＥＳ）、操作表示部２１５に、「送信先に送信する画像として登録された画像を添付しますか」といった表示を行い、送信画像の確認を行なう（ステップＳ３３）。登録画像を原稿に添付して送信する画像に選択するとの入力がなされた場合に（ステップＳ３４）、操作者により入力された全ての送信先に対する画像の選択が終了したか否かを確認し、送信する画像が全ての送信先に対して決定されている場合には（ステップＳ３９／ＹＥＳ）、図７に示されたフローチャートのステップＳ１８以下の手順を全ての送信先毎に繰り返す。
【００５０】
また、原稿に添付して送信する画像に登録画像は選択しないとの入力がなされると、操作表示部２１５に予め登録された全ての画像を表示し、操作者からの選択入力を待つ（ステップＳ３５）。操作者により画像が選択されると（ステップＳ３６／ＹＥＳ）、選択された画像を送信先に送信する画像として登録する処理を行なうか否かを問い合わせる（ステップＳ３７）。選択された画像を送信先に送信する画像に登録するとの入力があると（ステップＳ３７／ＹＥＳ）、画像管理部２１７の該当する送信者番号に対応付けて画像ＩＤを登録する（ステップＳ３８）。以上の処理が入力された全ての送信先に対して行なわれるまで繰り返し、全ての送信先に添付する画像が選択されると（ステップＳ３９／ＹＥＳ）、図７に示されたフローチャートのステップＳ１８以下の手順を全ての送信先毎に繰り返す。
【００５１】
このように本実施形態は、このようにして操作者が携帯端末機１００により撮影した画像をファクシミリ装置２００に転送して登録しておき、原稿をファクシミリ送信する際に送信原稿の所定領域に、操作者が選択した画像を合成して送信する。受信側では合成後の原稿が記録出力されるので、送信者を特定する顔写真などの固有の情報を送信先に送信することができ、受信者に送信者を明確に認識させることができる。
【００５２】
なお、上述した実施形態は本発明の好適な実施の形態である。但し、これに限定されるものではなく、本発明の要旨を逸脱しない範囲内において種々変形実施可能である。
【００５３】
【発明の効果】
以上の説明より明らかなように本発明は、操作者が携帯端末機により撮影した画像をファクシミリ装置に転送して登録しておき、原稿をファクシミリ送信する際に送信原稿の所定領域に、操作者が選択した画像を合成して送信する。受信側では合成後の原稿が記録出力されるので、送信者を特定する顔写真などの固有の情報を送信先に送信することができ、受信者に送信者を明確に認識させることができる。
【図面の簡単な説明】
【図１】本発明の画像付き書類作成機能付きファクシミリシステムに係る実施形態の構成を示すブロック図である。
【図２】ファクシミリ装置２００の構成を示すブロック図である。
【図３】画像管理部２１７に設けられた管理テーブルの構成を示す図である。
【図４】操作表示部２１５の外観形状を表す図である。
【図５】原稿に貼り付ける画像の貼り付け位置、貼り付け方法を説明するための図である。
【図６】画像登録の動作手順を示すフローチャートである。
【図７】画像を合成した原稿を作成しファクシミリ送信する際の動作手順を示すフローチャートである。
【図８】同一原稿に異なる画像を合成し複数の相手先に送信する際の動作手順を示すフローチャートである。
【符号の説明】
１００  携帯端末機
２００  ファクシミリ装置
２１０  画像処理機能部
２１１  ＣＰＵ
２１２  ＲＯＭ
２１３  モデム
２１４  スキャナ
２１５  操作表示部
２１６  プロッタ
２１７  画像管理部
２１８  網制御装置
２１９  モデム
２２０  画像蓄積部
２２１  符号化復号化部
２２２  画像合成メモリ
２２３  画像変換部
【図１】
2004349825.tif 000003
【図２】
2004349825.tif 000004
【図３】
2004349825.tif 000005
【図４】
2004349825.tif 000006
【図５】
2004349825.tif 000007
【図６】
2004349825.tif 000008
【図７】
2004349825.tif 000009
【図８】
2004349825.tif 000010